(57)【要約】【課題】浸透印であっても登録印鑑や銀行印に活用し得る、認証性に優れたオリジナル印判及びこの印判を作製するオリジナル印判作製装置を提供する。【解決手段】オリジナル印判は、印面が手書きサイン又は顔写真で形成されている。毛筆によるサイン又は顔写真は、２つとないもので認証性が高く、浸透印であっても登録印鑑や銀行印に採用されることが期待される。オリジナル印判作製装置１は、手書きサイン又は顔写真を読み取り、この読み取られた画像入力データと印面フォームを調整して印面の版下を作製する版下作製手段２と、この版下作製手段２からの版下データに基づいて印材に印面を加工する印面作製手段３を備えており、精度の良い彫刻印又は浸透印を作製し得る。【選択図】図１
2012081723.tif 000002
【特許請求の範囲】
【請求項１】
印面が手書きサイン又は顔写真で形成されていることを特徴とするオリジナル印判。
【請求項２】
印面は、材質が非多孔性印字体で、手書きサイン又は顔写真が彫刻により形成されている請求項１記載のオリジナル印判。
【請求項３】
印面は、手書きサイン又は顔写真の画像電子情報を３００ｄｐｉ以上の精度で彫刻されている請求項２記載のオリジナル印判。
【請求項４】
印面は、材質が多孔性印字体で、手書きサイン又は顔写真が彫刻により形成されている請求項１記載のオリジナル印判。
【請求項５】
印面は、手書きサイン又は顔写真の画像電子情報を３００ｄｐｉ以上の精度で彫刻されている請求項４記載のオリジナル印判。
【請求項６】
印面は、材質が感光処理された多孔性印字体で、手書きサイン又は顔写真が光学的に焼き付けて形成されている請求項１記載のオリジナル印判。
【請求項７】
印面は、手書きサイン又は顔写真の画像電子情報を３００ｄｐｉ以上の精度で焼き付けて形成されている請求項６記載のオリジナル印判。
【請求項８】
請求項１記載のオリジナル印判を作製するオリジナル印判作製装置であって、手書きサイン又は顔写真を読み取り、この読み取られた画像入力データと印面フォームを調整して印面の版下を作製する版下作製手段と、この版下作製手段からの版下データに基づいて印材に印面を加工する印面作製手段を備えていることを特徴とするオリジナル印判作製装置。
【請求項９】
印面作製手段は、ＮＣ制御されるレーザ加工機である請求項８記載のオリジナル印判作製装置。
【請求項１０】
印面作製手段は、ＮＣ制御される電子ビーム加工機である請求項８記載のオリジナル印判作製装置。
【請求項１１】
印面作製手段は、版下作製手段からの版下データによるポジフィルムを作製し、このポジフィルムにキセノンフラッシュを照射して印面に手書きサイン又は顔写真を焼き付ける光学焼付け機である請求項８記載のオリジナル印判作製装置。
【発明の詳細な説明】
【技術分野】
【０００１】  本発明は、浸透印又は彫刻印である印判（スタンプを含む）及びその印判の印面を作製する印判作製装置に関する。
【背景技術】
【０００２】  従来の印判には、つげ材等の木材、ゴム、金属、セラミックス、ガラス、象牙等の非多孔性印材に印面を彫刻して作製された彫刻印、各種熱可塑性エラストマー等の多孔性印材に印面を彫刻又は光学的に焼付けして作製された浸透印等が知られている。【０００３】  従来、これらの印判の作製は、印面の版下の作製工程、印面の作製工程、組立工程がそれぞれ独立の工程であり、しかもそれぞれが煩雑であった。そこで、入力手段、表示手段、記憶手段及び処理手段を備えた版下作製手段により版下を作製し、制御手段とレーザ加工機からなる印面作製手段により前記版下を基にレーザ光線で印材を彫刻して印面を作製し、ホルダーに前記印面を組み込んでなる印判作製装置が提案されている（例えば、特許文献１参照。）。
【先行技術文献】
【特許文献】
【０００４】
【特許文献１】特開２０００−４３３９１号公報
【発明の概要】
【発明が解決しょうとする課題】
【０００５】  ところで、前記特許文献１記載の印判作成装置は、印判を１品ずつ作製することができるため、印判販売業者は既成の印判を大量に保管する必要がなく、経済的な負担の軽減が期待される。
【０００６】  しかし、近年、自己固有の印判を持ち、浸透印であも登録印鑑や銀行印に活用したいという要望があるが、前記特許文献１記載の印判作成装置によっては困難と考えられる。
【０００７】  本発明は、前記従来の状況に鑑みてなされたもので、認証性に優れたオリジナル印判及びこの印判を作製するオリジナル印判作製装置を提供することにある。
【課題を解決するための手段】
【０００８】  本発明者は種々検討した結果、認証性に優れた印判は２つと存在しない個性的なものであることが必要であり、手書きによるサインが最適であることが判明した。手書きによるサインは、同一人が作製しても同一のものは得がたく、それだけ個性的なものである。また、顔写真は本人以外の何者でもなく、認証性が高いと考えられる。
【０００９】  本発明は、印面が手書きサイン又は顔写真で形成されたオリジナル印判である。印面は、材質が非多孔性印字体で、手書きサイン又は顔写真が彫刻により形成された彫刻印でも良い。その際、手書きサイン又は顔写真が画像電子情報で３００ｄｐｉ以上の精度に彫刻されたものが好ましく、これによる印影は空白部が潰れず鮮明である。
【００１０】  また、本発明のオリジナル印判は、印面の材質が多孔性印字体で、手書きサイン又は顔写真が彫刻により形成されたものでもよい。その際、印面は、手書きサイン又は顔写真の画像電子情報を３００ｄｐｉ以上の精度で彫刻されたものが好ましく、空白部が潰れずに鮮明な印影で捺印し得る。
【００１１】  また、本発明のオリジナル印判は、印面の材質が感光処理された多孔性印字体で、手書きサイン又は顔写真が光学的に焼き付けて形成されたものでもよい。その際、印面は、手書きサイン又は顔写真の画像電子情報を３００ｄｐｉ以上の精度で焼き付けて形成されていることが好ましく、空白部が潰れずに鮮明な印影で捺印し得る。
【００１２】  本発明のオリジナル印判を作製するオリジナル印判作製装置は、手書きサイン又は顔写真を読み取り、この読み取られた画像入力データと印面フォームを調整して印面の版下を作製する版下作製手段と、この版下作製手段からの版下データに基づいて印材に印面を加工する印面作製手段を備えたものである。その際、印面作製手段は、ＮＣ制御されるレーザ加工機、ＮＣ制御される電子ビーム加工機のいずれでも良く、精度の良い彫刻印又は浸透印を作製し得る。また、版下作製手段からの版下データによるポジフィルムを作製し、このポジフィルムにキセノンフラッシュを照射して印面に手書きサイン又は顔写真を焼き付ける光学焼付け機でもよく、精度の良い浸透印を作製し得る。
【発明の効果】
【００１３】  本発明のオリジナル印判は、印面が手書きサイン又は顔写真で作成されていることから、個性的であり、認証性に優れた印判である。特に、手書きサイン又は顔写真が画像電子情報で３００ｄｐｉ以上の精度に作製されたものは、再現性が高く、空白部が潰れない鮮明な印影が得られる。これにより、浸透印についても、印鑑登録や銀行印として採用される可能性が期待される。
【００１４】  本発明のオリジナル印判作製装置は、印面作製手段がレーザ加工機、電子ビーム加工機及び光学焼付け機のいずれであっても、再現性の高い印面を作製し得る。なお、レーザ加工機のレーザビームの径、電子ビーム加工機のビームの径が小さいほど印面の精度を高め得る。
【図面の簡単な説明】
【００１５】
【図１】本発明のオリジナル印判作製装置の実施の形態の説明図で、全体構成を概念的に説明するブロック図を示す。
【図２】本発明のオリジナル印判作製装置の実施の形態の説明図で、動作プログラムを概念的に説明するフローチャートを示す。
【発明を実施するための形態】
【００１６】  以下、本発明の実施の形態を図１及び図２に基づいて説明する。
【００１７】  図１において、１はオリジナル印判作製装置で、版下作製手段２と印面作製手段３とを備えている。版下作製手段２は、入力手段４、表示手段５、記憶装置６、演算処理手段７を備えている。入力手段４は、手書きサイン又は顔写真の画像データを読み取るスキャナ等の光学読み取り手段と、演算処理手段７に対して各種の指令を行わせるキーボードやマウス等からなる。表示手段５は、各種のデータを画面表示する液晶デイスプレイ装置等である。記憶手段６は、ハードデイスク装置等からなり、版下作製プログラム、図形データ、組み版後の版下データを格納するものである。演算処理手段７は、マイクロプロセッサ、ＲＯＭ、ＲＡＭ等を備え、版下プログラムを読み込んで実行処理させたり、入力された画像データを特定又は任意のレイアウトに展開処理したり各種のデータを表示手段５に供給して表示処理を行うものである。
【００１８】  印面作製手段３は、ＮＣ制御装置により制御されるレーザ加工機であり、版下作製手段２により作成された版下データに基づいて印材に印面を彫刻するようになっている。なお、レーザ加工機に替えて電子ビーム加工機又はポジフィルムに照射するキセノンランプを有する焼付け装置であってもよい。
【００１９】  本実施の形態による版下の作製及び印面の作製の一例を図２に示すフローチャートに従って以下に説明する。
【００２０】  マウス等の入力手段４で版下作成開始の指令をする（Ｓ１）。演算処理手段７は記憶手段６に格納されたプログラムを読み込み、スタンプタイプ選択画面を表示手段５に表示する（Ｓ２）。スタンプタイプ選択画面は、正方形、長方形、円、楕円、小判等の印面形状と、縦書き横書き等の印面方向と、印刷サイズについて所定の条件のものを選択してマウス等で指令する（Ｓ３）。決定された条件を基に記憶手段６から所定の印面フォームを読み込んで表示手段５に展開する。その際、予め印面フォームと対応するようにパターン化されたレイアウトが記憶手段６に登録されており、印面形状、印面方向、印面サイズを選択した時点でこれに適合する幾つかのレイアウトが前記印面フォーム上に重ねて表示手段５に展開され、さらにこれを選択できるようレイアウト選択画面を表示する（Ｓ４）。
【００２１】  次に、レイアウト選択画面の複数のレイアウトから所定のレイアウトを選択してマウス等の入力手段４で指令する（Ｓ５）。演算処理手段７は、選択したレイアウトに準じた文字や図形を入力するためのフィールドと作製される印面のプレビューを表示するプレビュー領域からなる文字入力画面を表示する（Ｓ６）。
【００２２】次に、それぞれのフィールドにキーボード等の入力手段４で印面となる手書きのサインや顔写真を入力する（Ｓ７）。演算処理手段７は先に選択したレイアウトに従って手書きのサインや顔写真を展開して印面を作製し、その印面のプレビューをプレビュー領域に表示する（Ｓ８）。
【００２３】  次に、文字書体、割符等を修正・変更し調整する場合には調整画面に切り換えた後、調整するキャラクタバーの行を指定し、文字の級数や文字の縦横比率を変更したり、文字をマウス等で直接指定して上下左右に移動させたりして調整し体裁を整える（Ｓ９）。再びプレビューを確認し、印面を再調整する必要が無い場合は版下の作製を完了する（Ｓ１０）。版下を保存する場合は、保存の命令を入力し、印面を確定すると同時に版下をファイル化して記憶手段６に格納する。
【００２４】  版下の作製が完了した後、版下データを印面作成手段３の制御装置に供給し、レーザ加工機等を作動して印面を作成する。勿論、作成された版下を記憶手段６に格納した後、記憶手段６から版下データの供給を受けてレーザ加工機等を作動しても良い。
【００２５】  次に、本発明のオリジナル印判の実施例及び比較例について、以下に説明する。
【００２６】  第１比較例は、直径１０ミリのつげ材からなる印材に「菅原」というサインの画像電子情報を７５ｄｐｉの精度で彫刻する場合である。この彫刻印は、ＮＣ制御による超小型切削工具で彫刻された。古印体、印相体、てん書体による「菅原」のサインの印影は、空白部が潰れず鮮明であった。毛筆による「菅原」のサインの印影は空白部が潰れて不鮮明になり、「菅原」のサインが識別困難であった。従って、７５ｄｐｉの精度で彫刻する場合、毛筆による「菅原」のサイン等のフリーフォーマットの字体では対応できず、古印体、印相体、てん書体による「菅原」のサインでなければならない。
【００２７】  第１実施例は、直径１０ミリのつげ材からなる印材に毛筆による「菅原」というサインの画像電子情報を３００ｄｐｉの精度で彫刻する場合である。この彫刻印は、ＮＣ制御によるレーザ加工機で彫刻された。毛筆による「菅原」のサインの印影は、空白部が潰れず鮮明で、「菅原」のサインは充分に識別できた。
【００２８】  第２実施例は、直径１０ミリのつげ材からなる印材に毛筆による「菅原」というサインの画像電子情報を６００ｄｐｉの精度で彫刻する場合である。この彫刻印は、ＮＣ制御によるレーザ加工機で彫刻された。毛筆による「菅原」のサインの印影は、空白部が潰れず鮮明で、「菅原」のサインが第１実施例よりもより良く識別できた。
【００２９】  第３実施例は、直径１０ミリのつげ材からなる印材に毛筆による「菅原」というサインの画像電子情報を１，０００ｄｐｉの精度で彫刻する場合である。この彫刻印は、ＮＣ制御によるレーザ加工機で彫刻された。毛筆による「菅原」のサインの印影は、空白部が潰れず鮮明で、「菅原」のサインが第３実施例よりもより良く識別できた。また、画像電子情報を１，０００ｄｐｉ以上の精度で彫刻することがより好ましい。
【００３０】  第２比較例は、直径１０ミリの浸透印を「飛龍」というサインの画像電子情報を７５ｄｐｉの精度で作製した場合である。この浸透印は、ポジフィルムをキセノンフラッシュで焼き付けて作製した。古印体、印相体、てん書体による「飛龍」というサインの印影は、空白部が潰れず鮮明であった。毛筆による「飛龍」というサインの印影は、空白部が潰れて不鮮明になり、識別困難であった。従って、７５ｄｐｉの精度で作製する場合、印影を識別するためには、毛筆による「飛龍」というサイン等のフリーフォーマットの字体では対応できず、古印体、印相体、てん書体による「飛龍」というサインなければならない。
【００３１】  第４実施例は、直径１０ミリの浸透印を毛筆による「飛龍」というサインの画像電子情報を３００ｄｐｉの精度で作製した場合である。この浸透印は、ポジフィルムをキセノンフラッシュで焼き付けて作製した。この浸透印を用いた印影では、空白部が潰れず毛筆による「飛龍」というサインは充分に識別できた。
【００３２】  第５実施例は、直径１０ミリの浸透印を毛筆による「飛龍」というサインの画像電子情報を６００ｄｐｉの精度で作製した場合である。この浸透印は、ポジフィルムをキセノンフラッシュで焼き付けて作製した。この浸透印を用いた印影では、空白部が潰れず毛筆による「飛龍」というサインは第４実施例よりもより良く識別できた。
【００３３】  第６実施例は、直径１０ミリの浸透印を毛筆による「飛龍」というサインの画像電子情報を１，０００ｄｐｉの精度で作製した場合である。この浸透印は、ポジフィルムをキセノンフラッシュで焼き付けて作製した。この浸透印を用いた印影では、空白部が潰れず毛筆による「飛龍」というサインは第５実施例よりもより良く識別できた。また、画像電子情報を１，０００ｄｐｉ以上の精度で作製することがより好ましい。
【００３４】  第３比較例は、直径１０ミリの浸透印を大谷忠幸の顔写真の画像電子情報を７５ｄｐｉの精度で作製した場合である。この浸透印は、ポジフィルムをキセノンフラッシュで焼き付けて作製した。この浸透印を用いた印影では、空白部が潰れて大谷忠幸の顔写真は識別できなかった。
【００３５】  第７実施例は、直径１０ミリの浸透印を大谷忠幸の顔写真の画像電子情報を３００ｄｐｉの精度で作製した場合である。この浸透印は、ポジフィルムをキセノンフラッシュで焼き付けて作製した。この浸透印を用いた印影では、空白部が潰れず大谷忠幸の顔写真は充分に識別できた。
【００３６】  第８実施例は、直径１０ミリの浸透印を大谷忠幸の顔写真の画像電子情報を６００ｄｐｉの精度で作製した場合である。この浸透印は、ポジフィルムをキセノンフラッシュで焼き付けて作製した。この浸透印を用いた印影では、空白部が潰れず大谷忠幸の顔写真は第７実施例よりもより良く識別できた。
【００３７】  第９実施例は、直径１０ミリの浸透印を大谷忠幸の顔写真の画像電子情報を１，０００ｄｐｉの精度で作製した場合である。この浸透印は、ポジフィルムをキセノンフラッシュで焼き付けて作製した。この浸透印を用いた印影では、空白部が潰れず大谷忠幸の顔写真は第８実施例よりもより良く識別できた。また、画像電子情報を１，０００ｄｐｉ以上の精度で作製することがより好ましい。
【符号の説明】
【００３８】１  オリジナル印判作製装置
２  版下作製手段
３  印面作製手段
４  入力手段
５  表示手段
６  記憶装置
７  演算処理手段
【図１】
2012081723.tif 000003
【図２】
2012081723.tif 000004